(57)【要約】【課題】  スイッチ操作部材を操作位置に固定して所定の加工作業を行うことが可能な打撃工具において、コストの低減を図るとともに、モータ通電駆動用の電気スイッチに関する配線の取り回しを容易にして組立性の向上に資する技術を提供する。【解決手段】  本発明の打撃工具は、モータ１１１と、モータ通電駆動用の単一の電気スイッチ１５１と、第１のスイッチ操作部材１５３と、第２のスイッチ操作部材１５５と、工具ビットの駆動モードの切替えを行なうモード切替部材１６５を有する。モード切替部材１６５の第１の駆動モードに切り替えられた状態では、第１のスイッチ操作部材１５３が固定され、第２のスイッチ操作部材１５５による電気スイッチ１５１のオン・オフ動作が許容される。モード切替部材１６５が第２の駆動モードに切り替えられた状態では、第２のスイッチ操作部材１５５が固定され、第１のスイッチ操作部材１５３によつ電気スイッチ１５１のオン・オフ動作が許容される。【選択図】  図４
2008221373.tif 000002
【特許請求の範囲】
【請求項１】
工具ビットの長軸方向の打撃動作と長軸方向回りの回転動作により被加工材に所定の加工作業を行う打撃工具であって、
前記工具ビットを駆動するモータと、
前記モータに電流を通電する投入状態と電流を通電しない非投入状態との間での切り替えが可能とされた単一の電気スイッチと、
初期位置と当該初期位置から所定の距離を隔てた操作位置との間で手指による移動操作が可能とされた第１のスイッチ操作部材と、
前記第１のスイッチ操作部材を前記初期位置に維持するべく当該第１のスイッチ操作部材に付勢力を作用する付勢部材と、
第１の操作位置と当該第１の操作位置から所定の距離を隔てた第２の操作位置との間で手指による移動操作が可能とされ、第１の操作位置および第２の操作位置に操作されたときは、それぞれの位置で反対側への操作をしない限り操作された当該位置に維持される第２のスイッチ操作部材と、
前記工具ビットに打撃動作のみによる加工作業を行わせる第１の駆動モードと、前記工具ビットに打撃動作と回転動作とによる加工作業、打撃動作のみによる加工作業、および回転動作のみによる加工作業のうちの少なくとも１つを行わせる第２の駆動モードとの間でモードの切替えを行なうモード切替部材と、を有し、
前記モード切替部材が第１の駆動モード側に切り替えられたときには、前記第１のスイッチ操作部材が前記操作位置に固定され、かつ前記第２のスイッチ操作部材の移動動作が許容された状態に置かれ、この状態では前記第２のスイッチ操作部材の手指操作による前記電気スイッチの投入状態と非投入状態間での切り替えが可能とされ、
前記モード切替部材が第２の駆動モード側に切り替えられたときには、前記第２のスイッチ操作部材が前記第２の操作位置に固定され、かつ前記第１のスイッチ操作部材の移動動作が許容された状態に置かれ、この状態では前記第１のスイッチ操作部材の手指操作による前記電気スイッチの投入状態と非投入状態間での切り替えが可能とされることを特徴とする打撃工具。
【請求項２】
請求項１に記載の打撃工具であって、
前記第１および第２のスイッチ操作部材に関し、前記第１のスイッチ操作部材を前記操作位置へと移動して当該操作位置に固定し、かつ前記第２のスイッチ操作部材の前記第２の操作位置における固定を解除して手指による移動操作を許容する状態に切り替える第１の切替位置と、前記第２のスイッチ操作部材を前記第２の操作位置へと移動して当該第２の操作位置に固定し、かつ前記第１のスイッチ操作部材の前記操作位置における固定を解除して手指による移動操作を許容する状態に切り替える第２の切替位置との間で、前記モード切替部材のモードの切替操作によって動作され、これによってスイッチ操作部材の操作形態の切り替えを行なう操作形態切替部と、
前記電気スイッチを投入状態に切り替える第１の動作位置と、前記電気スイッチを非投入状態に切り替える第２の動作位置との間で移動可能とされた動作部材と、を有し、
前記動作部材は、
前記モード切替部材が第１の駆動モード側に切り替えられ、これによって前記操作形態切替部が前記第１の切替位置に動作された状態では、手指により操作される前記第２のスイッチ操作部材とのみ連動して前記第１の動作位置と第２の動作位置間で移動され、これにより前記電気スイッチの投入状態と非投入状態との間での切り替えを行い、
前記モード切替部材が第２の駆動モード側に切り替えられ、これによって前記操作形態切替部が前記第２の切替位置に動作された状態では、手指により操作される前記第１のスイッチ操作部材とのみ連動して前記第１の動作位置と第２の動作位置間で移動され、これにより前記電気スイッチの投入状態と非投入状態との間での切り替えを行うように構成されていることを特徴とする打撃工具。
【請求項３】
請求項２に記載の打撃工具であって、
前記第１のスイッチ操作部材は、前記工具ビット長軸方向と交差する方向の第１の軸線回りに回動自在とされ、当該第１の軸線回りに回動することで前記初期位置と前記操作位置間で移動可能とされ、
前記第２のスイッチ操作部材は、前記第１の軸線と平行な第２の軸線回りに回動自在とされ、当該第２の軸線回りに回動動作することで前記第１の操作位置と前記第２の操作位置間で移動可能とされ、
前記動作部材は、前記第１の軸線と平行な第３の軸線回りに回動可能に前記第２のスイッチ操作部材に取り付けられ、
前記第１のスイッチ操作部材と前記動作部材との間に延在され、延在方向一端が前記第１のスイッチ操作部材に相対回動自在に連結され、延在方向他端が前記動作部材に相対回動自在に連結された棒状部材を有し、
前記動作部材は、
前記モード切替部材が第１の駆動モード側に切り替えられ、これによって前記操作形態切替部が前記第１の切替位置に動作された状態では、手指により前記第２のスイッチ操作部材が前記第１の操作位置と前記第２の操作位置との間で回動操作される際、当該第２のスイッチ操作部材と共に移動することで前記電気スイッチの投入状態と非投入状態との間での切り替えを行い、
前記モード切替部材が第２の駆動モード側に切り替えられ、これによって前記操作形態切替部が前記第２の切替位置に動作された状態では、手指により前記第１のスイッチ操作部材が前記初期位置と操作位置間で操作される際、前記棒状部材を介して前記第１のスイッチ操作部材と連動して前記第３の軸線回りに回動動作することで前記電気スイッチの投入状態と非投入状態との間での切り替えを行うように構成されていることを特徴とする打撃工具。
【請求項４】
請求項２に記載の打撃工具であって、
前記動作部材と常時に連係された状態において、前記第１のスイッチ操作部材に対しては非連係とされ、かつ前記第２のスイッチ操作部材に対しては連係される第１の連係状態と、前記第１のスイッチ操作部材に対しては連係され、かつ前記第２のスイッチ操作部材に対しては非連係とされる第２の連係状態との間で連係状態が切り替えられる連係部材を更に有し、
前記連係部材は、前記モード切替部材が第１の駆動モード側に切り替えられたときには前記第１の切替位置に動作される前記操作形態切替部によって前記第１の連係状態に切り替えられ、前記モード切替部材が第２の駆動モード側に切り替えられたときには前記第２の切替位置に動作される前記操作形態切替部によって前記第２の連係状態に切り替えられように構成され、
前記動作部材は、
前記モード切替部材が第１の駆動モード側に切り替えられ、これによって前記操作形態切替部が前記第１の切替位置に動作されるとともに、前記連係部材が前記第１の連係状態に切り替えられた状態では、手指により前記第２のスイッチ操作部材が第１の操作位置と第２の操作位置間で移動操作される際、前記連係部材を介して前記第２のスイッチ操作部材と連動して前記第１の動作位置と第２の動作位置間で移動し、これにより前記電気スイッチの投入状態と非投入状態間での切り替えを行い、
前記モード切替部材が第２の駆動モード側に切り替えられ、これによって前記操作形態切替部が前記第２の切替位置に動作されるとともに、前記連係部材が前記第２の連係状態に切り替えられた状態では、手指により前記第１のスイッチ操作部材が初期位置と操作位置間で移動操作される際、前記連係部材を介して前記第１のスイッチ操作部材と連動して前記第１の動作位置と第２の動作位置間で移動し、これにより前記電気スイッチの投入状態と非投入状態との間での切り替えを行うように構成されていることを特徴とする打撃工具。
【請求項５】
請求項２に記載の打撃工具であって、
前記第１のスイッチ操作部材は、前記ハンドグリップ側に配置されて当該ハンドグリップの延在方向と同方向に延在されるとともに、当該延在方向中間部において前記工具ビット長軸方向と交差する方向の第１の軸線回りに回動自在に取り付けられて前記初期位置と操作位置間での回動操作が可能とされており、
前記第２のスイッチ操作部材は、前記工具本体部側に配置されて前記ハンドグリップの延在方向と同方向に延在されるとともに、当該延在方向中間部において前記第１の軸線と平行な第２の軸線回りに回動自在に取り付けられて前記第１の操作位置と第２の操作位置間での回動操作が可能とされており、
前記ハンドグリップの一端側における前記工具本体部と前記ハンドグリップとの連接部位には、前記第１のスイッチ操作部材延在方向と交差する方向に延在するとともに、当該延在方向一端部が前記第１のスイッチ操作部材の延在方向一端部と相対回動自在に連結された連接部材が配置され、
前記動作部材は、前記第２のスイッチ操作部材の延在方向と同方向でかつ前記連接部材の延在方向と交差する方向に延在されるとともに、その延在方向一端部が前記連接部材の延在方向他端部と相対回動自在に連結され、延在方向他端部が前記第２のスイッチ操作部材の延在方向一端部と相対回動自在に連結され、
前記動作部材は、
前記モード切替部材が第１の駆動モード側に切り替えられ、これによって前記操作形態切替部が前記第１の切替位置に動作された状態では、手指により前記第２のスイッチ操作部材が第１の操作位置と第２の操作位置間で回動操作される際、前記連接部材との連結点を回動支点にして前記第１の動作位置と第２の動作位置間で回動され、これにより前記電気スイッチの投入状態と非投入状態との間での切り替えを行い、
前記モード切替部材が第２の駆動モード側に切り替えられ、これによって前記操作形態切替部が前記第２の切替位置に動作された状態では、手指により前記第１のスイッチ操作部材が初期位置と操作位置と間で操作される際、前記第２のスイッチ操作部材との連結点を回動支点にして前記第１の動作位置と第２の動作位置間で回動され、これにより前記電気スイッチの投入状態と非投入状態との間での切り替えを行うように構成されていることを特徴とする打撃工具。
【発明の詳細な説明】
【技術分野】
【０００１】
本発明は、工具ビットに打撃動作を行わせることにより、被加工材（コンクリート）に対しハンマ作業を遂行することが可能な打撃工具に関する。
【背景技術】
【０００２】
打撃工具、例えば電動ハンマドリルを用いて作業をする場合において、工具ビットが長軸方向に打撃動作するハンマモードでのハンマ作業は、作業者の負担を軽減する観点からトリガを電源スイッチが投入状態（オン状態）とされる操作位置に固定できることが好ましく、一方、工具ビットが打撃動作と長軸回りの回転動作とを行うハンマドリルモードでのドリル作業では、作業の性格上、トリガを操作位置に固定することなく作業者が自由に初期位置と操作位置間で任意に操作できることが好ましい。このような要請に応える機構を備えた電動ハンマドリルは、例えば特開２００６−９５７号公報（特許文献１）に開示されている。
特許文献１に記載の電動ハンマドリルにおいては、モータを通電駆動するために２個の電気スイッチを有する。そしてモード切替部材がハンマモードに切り替えられたときには、当該モード切替部材によってトリガが操作位置へと押し移動されて固定され、これにより一方の電気スイッチが投入状態に切り替えられる。この状態で、作業者がスイッチ操作部材を操作して他方のスイッチを投入状態に切り替えると、モータが通電駆動される。このときは、作業者はトリガを手指により引き操作位置に固定する（引き続ける）ことなく、モータを連続運転してハンマビットによるハンマ作業を行うことができる。一方、モード切替部材がハンマドリルモードに切り替えられたときには、モード切替部材によってスイッチ操作部材が他方のスイッチを投入状態とする位置へと強制的に操作されて固定される。この状態では作業者がトリガを初期位置と操作位置間で自由に操作し、モータを任意に駆動あるいは停止してハンマドリル作業を行うことができる。
【０００３】
上記したように、特許文献１に記載の電動ハンマドリルでは、トリガを引き操作位置に固定してハンマ作業を行う、いわゆるトリガロックオン機構につき、複数の電気スイッチを用いて実現している。そして複数の電気スイッチは、工具本体内部空間、あるいは作業者が握るハンドグリップの内部空間に収容配置され、モータの駆動・停止を制御するコントローラと配線で接続されるが、電気スイッチが複数であることから、接続のための配線が複雑である。また複数の電気スイッチを用いるため、コストが高いという点で問題があり、このような点でなお改良の余地がある。
【特許文献１】特開２００６−９５７号公報
【発明の開示】
【発明が解決しようとする課題】
【０００４】
本発明は、かかる点に鑑み、スイッチ操作部材を操作位置に固定して所定の加工作業を行うことが可能な打撃工具において、コストの低減を図るとともに、モータ通電駆動用の電気スイッチに関する配線の取り回しを容易にして組立性の向上に資する技術を提供することを目的とする。
【課題を解決するための手段】
【０００５】
上記課題を達成するため、本発明に係る打撃工具の好ましい形態は、工具ビットを駆動するモータと、単一の電気スイッチと、第１のスイッチ操作部材と、付勢部材と、第２のスイッチ操作部材と、モード切替部材と、を有する。単一の電気スイッチは、モータに電流を通電する投入状態と電流を通電しない非投入状態との間での切り替えが可能とされる。第１のスイッチ操作部材は、初期位置と当該初期位置から所定の距離を隔てた操作位置との間での手指による操作が可能とされる。付勢部材は、第１のスイッチ操作部材を初期位置に維持するべく当該第１のスイッチ操作部材に付勢力を作用する。なお「付勢部材」としては、典型的にはバネがこれに該当する。第２のスイッチ操作部材は、第１の操作位置と当該第１の操作位置から所定の距離を隔てた第２の操作位置との間で操作可能とされ、第１の操作位置および第２の操作位置に操作されたときは、それぞれの位置で反対側への操作をしない限り操作された当該位置に維持される。モード切替部材は、工具ビットに打撃動作のみによる加工作業を行わせる第１の駆動モードと、工具ビットに打撃動作と回転動作とによる加工作業、打撃動作のみによる加工作業、および回転動作のみによる加工作業のうちの少なくとも１つを行わせる第２の駆動モードとの間でモードの切替えを行なう。
モード切替部材が第１の駆動モード側に切り替えられたときには、第１のスイッチ操作部材が操作位置に固定され、かつ第２のスイッチ操作部材の移動動作が許容された状態に置かれる。そしてこの状態では、第２のスイッチ操作部材による電気スイッチの投入状態と非投入状態間での切替操作が可能とされる。すなわち、手指による第２のスイッチ操作部材の第２の操作位置への移動操作により電気スイッチが投入状態に切り替えられ、第２のスイッチ操作部材の第１の操作位置への移動操作により電気スイッチが非投入状態に切り替えられる。一方、モード切替部材が第２の駆動モード側に切り替えられた状態では、第２のスイッチ操作部材が第２の操作位置に固定され、かつ第１のスイッチ操作部材の移動動作が許容された状態に置かれる。そしてこの状態では、第１のスイッチ操作部材による電気スイッチの投入状態と非投入状態間での切替操作が可能とされる。すなわち、手指による第１のスイッチ操作部材の操作位置への操作により電気スイッチが投入状態に切り替えられ、第１のスイッチ操作部材の付勢部材の付勢力による初期位置への戻り動作により電気スイッチが非投入状態に切り替えられる。
【０００６】
本発明の好ましい形態によれば、モータに電流を通電する投入状態と電流を通電しない非投入状態との間で切り替えられる単一の電気スイッチを設け、そしてモード切替部材が第１の駆動モード側に切り替えられた状態では、第２のスイッチ操作部材の操作のみが許容される。第２のスイッチ操作部材は、反対側への操作をしない限り操作された当該操作位置に維持される構成である。このため、第１の駆動モードにおいては、作業者は電気スイッチを投入状態とする第２の操作位置に第２のスイッチ操作部材を操作してモータを通電駆動すれば、その後、当該第２のスイッチ操作部材を手指により第２の操作位置に固定する（保持し続ける）ことなく、工具ビットを駆動して所定の加工作業を連続的に行うことができる。
一方、第２の駆動モードに切り替えられた状態では、電気スイッチが、常時に操作位置側から初期位置側に付勢される方式、つまり初期位置に自動復帰する方式の第１のスイッチ操作部材によって切替操作される構成としている。このため、第２の駆動モードでは、作業者は第１のスイッチ操作部材を初期位置と操作位置との間で自由に操作し、工具ビットによる所定の加工作業を行うことができる。
上記のように、本発明によれば、工具ビットが第１の駆動モードで駆動される際に、自動復帰式の第１のスイッチ操作部材を、電気スイッチを投入状態とする位置に固定して当該投入状態を維持する機構（トリガロックオン機構）を単一の電気スイッチを用いて実現できる。このため、複数のスイッチを利用する形式の従来に比べて、電気スイッチとコントローラとを接続するための配線が容易になる。その結果として、モータ、工具ビットを駆動する駆動機構等の各種部品を工具本体内に組み付けて打撃工具を組み立てる際の組立性を向上することができる。
また本発明によれば、モード切替部材によって駆動モードの切り替えを行なった後、一つのスイッチ操作部材を操作するだけで工具ビットを駆動して所定の加工作業を行うことができるため、操作性が向上する。
【０００７】
本発明に係る打撃工具の更なる形態では、モード切替部材のモードの切替操作によって動作される操作形態切替部を有する。操作形態切替部は、第１および第２のスイッチ操作部材に関し、第１のスイッチ操作部材を操作位置へと移動して当該操作位置に固定し、かつ第２のスイッチ操作部材の第２の操作位置における固定を解除して手指による移動操作を許容する状態に切り替える第１の切替位置と、第２のスイッチ操作部材を第２の操作位置へと移動して当該第２の操作位置に固定し、かつ第１のスイッチ操作部材の操作位置における固定を解除して手指による移動操作を許容する状態に切り替える第２の切替位置との間で動作しこれによってスイッチ操作部材の操作形態の切り替えを行なう構成とされる。また電気スイッチを投入状態に切り替える第１の動作位置と、電気スイッチを非投入状態に切り替える第２の動作位置との間で移動可能とされた動作部材を有する。
そして動作部材は、モード切替部材が第１の駆動モード側に切り替えられ、これによって操作形態切替部が第１の切替位置に動作された状態では、手指により操作される第２のスイッチ操作部材とのみ連動して第１の動作位置と第２の動作位置間で移動され、これにより電気スイッチの投入状態と非投入状態との間での切り替えを行う。また動作部材は、モード切替部材が第２の駆動モード側に切り替えられ、これによって操作形態切替部が第２の切替位置に動作された状態では、手指により操作される第１のスイッチ操作部材とのみ連動して第１の動作位置と第２の動作位置間で移動され、これにより電気スイッチの投入状態と非投入状態との間での切り替えを行う構成とされる。
【０００８】
なお本発明における「動作部材による電気スイッチの投入状態あるいは非投入状態への切り替え」については、動作部材が直接に電気スイッチを切り替える態様あるいは中間部材を介して間接的に切り替える態様のいずれも包含する。また本発明における「のみ連動する」とは、典型的にはモード切替部材のモード切替動作に基づいて、動作部材が第１および第２のスイッチ操作部材のうちの一方のスイッチ操作部材に対しては接続され、他方のスイッチ操作部材に対しては接続が切り離される、あるいは動作部材の動作が当該他方のスイッチ操作部材に影響を及ぼさない（干渉しない）状態とされる態様がこれに該当する。また「連動」の態様としては、動作部材が第１のスイッチ操作部材あるいは第２のスイッチ操作部材に対して直接に接続される態様、あるいは中間部材を介して間接的に接続される態様のいずれも好適に包含する。
【０００９】
本発明によれば、第１の駆動モードでは、動作部材が第２のスイッチ操作部材とのみ連動して電気スイッチを投入状態あるいは非投入状態に切り替え、第２の駆動モードでは、動作部材が第１のスイッチ操作部材とのみ連動して電気スイッチを投入状態あるいは非投入状態に切り替えることができる構成としている。このような構成としたことにより、モード切替部材による駆動モードの切り替えに対応して、第１のスイッチ操作部材あるいは第２のスイッチ操作部材を用いての単一の電気スイッチの投入状態と非投入状態間での切り替えが実現される。
【００１０】
本発明に係る打撃工具の更なる形態では、第１のスイッチ操作部材は、工具ビット長軸方向と交差する方向の第１の軸線回りに回動自在とされ、当該第１の軸線回りに回動することで初期位置と操作位置間で移動可能とされる。第２のスイッチ操作部材は、第１の軸線と平行な第２の軸線回りに回動自在とされ、当該第２の軸線回りに回動動作することで第１の操作位置と第２の操作位置間で移動可能とされる。動作部材は、第１の軸線と平行な第３の軸線回りに回動可能に前記第２のスイッチ操作部材に取り付けられる。また棒状部材を有し、当該棒状部材は、第１のスイッチ操作部材と動作部材との間に延在され、延在方向一端が第１のスイッチ操作部材に相対回動自在に連結され、延在方向他端が動作部材に相対回動自在に連結される。
そして動作部材は、モード切替部材が第１の駆動モード側に切り替えられ、これによって操作形態切替部が第１の切替位置に動作された状態では、手指により第２のスイッチ操作部材が第１の操作位置と第２の操作位置との間で回動操作される際、当該第２のスイッチ操作部材と共に移動することで電気スイッチの投入状態と非投入状態との間での切り替えを行う。また動作部材は、モード切替部材が第２の駆動モード側に切り替えられ、これによって操作形態切替部が第２の切替位置に動作された状態では、手指により第１のスイッチ操作部材が初期位置と操作位置間で操作される際、棒状部材を介して第１のスイッチ操作部材と連動して第３の軸線回りに回動動作することで電気スイッチの投入状態と非投入状態との間での切り替えを行うように構成されている。
【００１１】
本発明によれば、動作部材を第２のスイッチ操作部材に回動自在に取り付けるともに、当該動作部材と第１のスイッチ操作部材とを棒状部材を介して相対回動自在に連結する構成としたものであり、このような構成を採用することにより、簡単な構成でありながら、モード切替部材による駆動モードの切り替えに対応して、第１のスイッチ操作部材あるいは第２のスイッチ操作部材を用いての単一の電気スイッチの投入状態と非投入状態間での切り替えが実現される。
【００１２】
本発明に係る打撃工具の更なる形態では、動作部材と常時に連係された状態において、第１のスイッチ操作部材に対しては非連係とされるとともに、第２のスイッチ操作部材に対しては連係される第１の連係状態と、第１のスイッチ操作部材に対しては連係されるとともに、第２のスイッチ操作部材に非連係とされる第２の連係状態との間で連係状態が切り替えられる連係部材を更に有する。なお「連係」とは、動作の伝達が可能な状態がこれに該当し、したがって「非連係」とは、動作の伝達が不可能な状態がこれに該当する。そして連係部材は、モード切替部材が第１の駆動モード側に切り替えられたときには第１の連係状態に切り替えられ、モード切替部材が第２の駆動モード側に切り替えられたときには第２の連係状態に切り替えられる。
そして動作部材は、モード切替部材が第１の駆動モード側に切り替えられ、これによって操作形態切替部が第１の切替位置に動作されるとともに、連係部材が第１の連係状態に切り替えられた状態では、手指により第２のスイッチ操作部材が第１の操作位置と第２の操作位置間で移動操作される際、連係部材を介して第２のスイッチ操作部材と連動して第１の動作位置と第２の動作位置間で移動し、これにより電気スイッチの投入状態と非投入状態間での切り替えを行う。また動作部材は、モード切替部材が第２の駆動モード側に切り替えられ、これによって操作形態切替部が第２の切替位置に動作されるとともに、連係部材が前記第２の連係状態に切り替えられた状態では、手指により第１のスイッチ操作部材が初期位置と操作位置間で移動操作される際、連係部材を介して第１のスイッチ操作部材と連動して第１の動作位置と第２の動作位置間で移動し、これにより電気スイッチの投入状態と非投入状態との間での切り替えを行うように構成されている。
【００１３】
本発明によれば、モード切替部材のモード切替動作を利用して第１の連係状態と第２の連携状態との間で状態の切り替えが行なわれる連係部材を設け、当該連係部材を介して動作部材を第１あるいは第２のスイッチ操作部材の一方に連係し、他方とは連係を切り離す構成としている。このような構成を採用したことにより、モード切替部材による駆動モードの切り替えに対応して、第１のスイッチ操作部材あるいは第２のスイッチ操作部材を用いての単一の電気スイッチの投入状態と非投入状態間での切り替えが実現される。
【００１４】
本発明に係る打撃工具の更なる形態では、第１のスイッチ操作部材は、ハンドグリップ側に配置されて当該ハンドグリップの延在方向と同方向に延在されるとともに、当該延在方向中間部において工具ビット長軸方向と交差する方向の第１の軸線回りに回動自在に取り付けられて初期位置と操作位置間での回動操作が可能とされている。第２のスイッチ操作部材は、工具本体部側に配置されてハンドグリップの延在方向と同方向に延在されるとともに、当該延在方向中間部において第１の軸線と平行な第２の軸線回りに回動自在に取り付けられて第１の操作位置と第２の操作位置間での回動操作が可能とされている。ハンドグリップの一端側における工具本体部とハンドグリップとの連接部位には、連接部材が配置され、当該連接部材は、第１のスイッチ操作部材延在方向と交差する方向に延在するとともに、当該延在方向一端部が第１のスイッチ操作部材の延在方向一端部と相対回動自在に連結される。動作部材は、工具本体部側において、第２のスイッチ操作部材の延在方向と同方向でかつ連接部材の延在方向と交差する方向に延在されるとともに、その延在方向一端部が連接部材の延在方向他端部と相対回動自在に連結され、延在方向他端部が第２のスイッチ操作部材の延在方向一端部と相対回動自在に連結されている。
そして動作部材は、モード切替部材が第１の駆動モード側に切り替えられ、これによって操作形態切替部が第１の切替位置に動作された状態では、手指により第２のスイッチ操作部材が第１の操作位置と第２の操作位置間で回動操作される際、連接部材との連結点を回動支点にして第１の動作位置と第２の動作位置間で回動され、これにより電気スイッチの投入状態と非投入状態との間での切り替えを行う。また動作部材は、モード切替部材が第２の駆動モード側に切り替えられ、これによって操作形態切替部が第２の切替位置に動作された状態では、手指により第１のスイッチ操作部材が初期位置と操作位置と間で操作されるとき、第２のスイッチ操作部材との連結点を回動支点にして第１の動作位置と第２の動作位置間で回動され、これにより電気スイッチの投入状態と非投入状態との間での切り替えを行うように構成されている。
【００１５】
本発明によれば、上記のように、ハンドグリップの一端側において、工具本体部とハンドグリップとの連接部位に連接部材を配置し、当該連接部材を介してハンドグリップ側の第１のスイッチ操作部材と、工具本体部側の動作部材とを連結（連動）させる構成としたことにより、防振構造のハンドグリップを有する打撃工具への適用が可能となった。なお「防振構造のハンドグリップ」とは、打撃工具の駆動時に当該打撃工具の本体部に発生した振動のハンドグリップへの伝達を防止あるいは低減するべく、工具本体部に対し、工具ビットの長軸方向と交差する方向に延在して配置された作業者が握るハンドグリップを、延在方向一端側においては、回動軸を介して工具ビット長軸方向に相対回動自在に連接し、延在方向他端側においては、例えばバネやゴム等の弾性体を介して少なくとも工具ビットの長軸方向（打撃動作方向）に相対移動可能に連接した構成のハンドグリップをいう。
【発明の効果】
【００１６】
本発明によれば、スイッチ操作部材を操作位置に固定して所定の加工作業を行うことが可能な打撃工具において、モータ通電駆動用の電気スイッチに関する配線の取り回しを容易にして組立性の向上に資する技術が提供されることとなった。
【発明を実施するための最良の形態】
【００１７】
（本発明の第１の実施形態）
以下、本発明の第１の実施形態につき、図１〜図１０に基づいて説明する。本実施の形態は、打撃工具の一例として電動ハンマドリルを用いて説明する。図１には電動ハンマドリルの全体構成が示され、図２には電動ハンマドリルの主要部の構成が示されている。図１に示すように、本実施の形態に係る電動ハンマドリル１０１は、概括的に見て、電動ハンマドリル１０１の外郭を形成する本体部１０３、当該本体部１０３の長軸方向における一端領域（図示左側）に接続されたツールホルダ１１７、当該ツールホルダ１１７に着脱自在に取付けられたハンマビット１１９、本体部１０３の長軸方向における他端部（図示右側）に連接された作業者が握るハンドグリップ１０９を主体として構成される。本体部１０３は、本発明における「工具本体部」に対応し、ハンマビット１１９は、本発明における「工具ビット」に対応する。なおハンマビット１１９は、ツールホルダ１１７に対し、その長軸方向（本体部１０３の長軸方向）への相対的な往復動が可能に、かつその周方向への相対的な回動が規制された状態で保持される。なお説明の便宜上、ハンマビット１１９側を前、ハンドグリップ１０９側を後という。
【００１８】
本体部１０３は、駆動モータ１１１を収容したモータハウジング１０５と、運動変換機構１１３、打撃要素１１５、および動力伝達機構１４１を収容したギアハウジング１０７とを主体として構成されている。駆動モータ１１１は本発明における「モータ」に対応する。駆動モータ１１１は、回転軸が本体部１０３の長軸方向（すなわち、ハンマビット１１９の長軸方向）と概ね直交する縦方向（図１において上下方向）となるように配置される。駆動モータ１１１の回転出力は、運動変換機構１１３によって直線運動に適宜変換された上で打撃要素１１５に伝達され、当該打撃要素１１５を介してハンマビット１１９の長軸方向（図１における左右方向）への衝撃力を発生する。また駆動モータ１１１の回転出力は、動力伝達機構１４１によって適宜減速された上でハンマビット１１９に回転力として伝達され、当該ハンマビット１１９が周方向に回転動作される。
【００１９】
図２に示すように、運動変換機構１１３は、駆動モータ１１１の回転運動を直線運動に変換して打撃要素１１５に伝達するものであり、駆動モータ１１１を介して駆動されるクランク軸１２１、クランクアーム１２３、ピストン１２５等からなるクランク機構によって構成される。ピストン１２５は、いわゆる打撃要素１１５を駆動する駆動子を構成するものであり、シリンダ１２７内をハンマビット１１９の長軸方向と同方向に摺動可能とされる。
【００２０】
打撃機構１１５は、シリンダ１２７のボア内壁に摺動自在に配置されてピストン１２５の摺動動作により当該シリンダボア内の空気バネの作用を介して直線状に駆動される打撃子としてのストライカ１２９と、ツールホルダ１１７に摺動自在に配置されるとともに、ストライカ１２９の運動エネルギをハンマビット１１９に伝達する中間子としてのインパクトボルト１３１を主体として構成される。
【００２１】
一方、ツールホルダ１１７は、回転可能に構成され、駆動モータ１１１から動力伝達機構１４１を介して回転される構成とされる。図２に示すように、動力伝達機構１４１は、駆動モータ１１１によって回転駆動される中間ギア１３３と、中間軸１３５と、中間軸１３５と共に回転する第１ベベルギア１３７と、当該第１ベベルギア１３７と噛み合い係合し、本体部１０３の長軸回りに回転する第２ベベルギア１３９等からなり、駆動モータ１１１の回転をツールホルダ１１７に伝達し、更には当該ツールホルダ１１７に保持されたハンマビット１１９へと伝達する。
【００２２】
また中間ギア１３３と中間軸１３５との間には、駆動モータ１１１の回転出力をハンマビット１１９に伝達あるいは遮断するクラッチ部材１４３が介装されている。クラッチ部材１４３は、中間軸１３５上に摺動可能に取り付けられ、当該中間軸１３５に沿って摺動することで、中間ギア１３３のクラッチ歯と噛み合い係合する動力伝達状態と、当該噛み合い係合が解除される動力遮断状態との間で切り替えられる。
【００２３】
クラッチ部材１４３の切り替えは、ハンマビット１１９の駆動モードを切り替えるモード切替ダイヤル１６５の操作によって行なわれる。モード切替ダイヤル１６５は、本発明における「モード切替部材」に対応する。モード切替ダイヤル１６５は、モータハウジング１０５に水平面内での回動操作可能に取り付けられており、その回動操作によって本体部１０３（ギアハウジング１０７）の内部空間に配置された便宜上図示を省略するクラッチ切替機構が動作し、クラッチ部材１４３を中間軸１３５に沿って摺動させ、動力伝達状態あるいは動力遮断状態に切り替える。
したがって、クラッチ部材１４３が動力遮断状態に切り替えられた状態で駆動モータ１１１が通電駆動されたときは、運動変換機構１１３のみが駆動される。駆動モータ１１１の回転出力は、運動変換機構１１３に伝達され、当該運動変換機構１１３のピストン１２５がシリンダ１２７のボア内で往復直線運動を行う。そしてピストン１２５の直線運動に伴い当該ピストン１２５からストライカ１２９、インパクトボルト１３１を経てハンマビット１１９が打撃動作を行う。このように、クラッチ部材１４３が動力遮断状態に切り替えられた状態では、ハンマビット１１９が打撃動作（ハンマ動作）のみを行い、被加工材（コンクリート）にハンマ作業を遂行する。以下、ハンマビット１１９が打撃動作のみを行う駆動モードを、ハンマモードという。
【００２４】
一方、クラッチ部材１４３が動力伝達状態に切り替えられた状態で駆動モータ１１１が通電駆動されたときは、運動変換機構１１３に加えて動力伝達機構１４１が駆動する。駆動モータ１１１の回転出力は、中間ギア１３３、クラッチ部材１４３、中間軸１３５、第１および第２ベベルギア１３７，１３９を介してツールホルダ１１７およびこのツールホルダ１１７にて保持されるハンマビット１１９に伝達される。かくして、ハンマビット１１９が軸方向の打撃動作と周方向の回転動作（ドリル動作）を行い、被加工材（コンクリート）にハンマドリル作業を遂行する。以下、ハンマビット１１９が打撃動作と回転動作とを行なう駆動モードを、ハンマドリルモードという。
【００２５】
なお本実施の形態においては、便宜上図示を省略するが、少なくともハンマビット１１９に打撃動作のみを行わせる第１ハンマモードおよび第２ハンマモードと、ハンマビット１１９に打撃動作と回転動作とを行わせるハンマドリルモードとの間で切替可能とされている。すなわち、モード切替ダイヤル１６５の周方向につき、第１ハンマモード位置、第２ハンマモード位置、ハンマドリルモード位置が設定されている。
【００２６】
次に駆動モータ１１１（ハンマビット１１９）を駆動・停止を操作するための操作部につき、図３〜図１０を主体にして説明する。図４〜図７には駆動モータ１１１を駆動・停止を操作するための操作部が拡大断面図として示されている。駆動モータ１１１は、単一の電気スイッチ１５１がオン状態とされることで通電駆動され、オフ状態とされることで停止されるように構成される。電気スイッチ１５１のオン状態は、本発明における「投入状態」に対応し、オフ状態は、本発明における「非投入状態」に対応する。電気スイッチ１５１は、便宜上図示を省略するスプリングにより常時にオフ状態へと付勢される自動復帰式スイッチであり、本体部１０３内の後端領域（ハンドグリップ１０９との対向領域）において、駆動モータ１１１を制御するコントローラ１１２に近接状に配置されている。そして電気スイッチ１５１のオン状態あるいはオフ状態の電気信号がコントローラ１１２に出力され、その電気信号に基づきコントローラ１１２が駆動モータ１１１の駆動・停止を制御する。
【００２７】
電気スイッチ１１１を切替操作するべく、２つのスイッチ１５３，１５５が設けられている。一方のトリガ状の第１スイッチ１５３は、ハンドグリップ１０９側に配置され、他方の第２スイッチ１５５は、本体部１０３側に配置される。すなわち、第１スイッチ１５３と第２スイッチ１５５は、ハンマビット１１９の長軸方向（本体部１０３の長軸方向）、すなわち前後方向において、概ね対向するように配置される。第１スイッチ１５３は、本発明における「第１のスイッチ操作部材」に対応し、第２スイッチ１５５は、本発明における「第２のスイッチ操作部材」に対応する。ハンドグリップ１０９は、ハンマビット長軸方向と交差する上下方向に延在されるとともに、その上部および下部において本体部１０３の後端とそれぞれ連接されている。
【００２８】
第１スイッチ１５３は、ハンドグリップ１０９に対する取付軸１５４を中心として前後方向に回動自在とされるとともに、上方に向かって延在されている。取付軸１５４は、本発明における「第１の軸線」に対応する。第１スイッチ１５３は、電気スイッチ１５１をオフ状態に切り替えることが可能なオフ位置と、作業者の手指による引き操作によって電気スイッチ１５１をオン状態に切り替えることが可能なオン位置との間での回動操作が可能とされ、常時にスプリング１５６によってオン位置からオフ位置へと付勢されている。したがって、第１スイッチ１５３は、引き操作されていないときは、ハンドグリップ１０９の前面から前方へと突出するオフ位置に保持され、引き操作されたオン位置では、グリップ前面の外側表面と概ね面一となる。第１スイッチ１５３のオフ位置は、本発明における「初期位置」に対応し、オン位置は、本発明における「操作位置」に対応する。またスプリング１５６は、本発明における「付勢部材」に対応する。
【００２９】
また第１のスイッチ１５３は、モード切替ダイヤル１６５の第１ハンマモードへの切替に基づき動作されるスライドプレート１６７によってオン位置に固定可能に構成される。このことについては後述する。つまり第１のスイッチ１５３は、作業者が手指によりオン位置とオフ位置との間で自由に操作できる操作形態（以下の説明でトリガモードということもある）と、スライドプレート１６７によってオン位置に固定される操作形態（以下の説明でトリガロックオンモードということもある）との間での切り替えが可能とされている。
【００３０】
第２のスイッチ１５５は、本体部１０３に対する取付軸１５７を中心として前後方向に回動自在とされるとともに、下方に向って延在されている。取付軸１５７は、本発明における「第２の軸線」に対応する。第２スイッチ１５５は、電気スイッチ１５１をオフ状態に切り替えることが可能なオフ位置と、電気スイッチ１５１をオン状態に切り替えることが可能なオン位置との間での手指による回動操作が可能とされる。第２スイッチ１５５のオフ位置は、本発明における「第１の操作位置」に対応し、オン位置は、本発明における「第２の操作位置に対応する。第２スイッチ１５５は、前面側が開口する断面略Ｕ字形の縦長に形成されるとともに、第２スイッチ１５５の手指により引かれる、あるいは押される外面領域が側方から見て概ね逆Ｌ字状に形成され、水平部１５５ａを引き操作することでオフ位置に回動され、垂直部１５５ｂを押し操作することでオン位置に回動される。
【００３１】
また第２スイッチ１５５には、下方に向って延在するアーム部１５５ｃが形成されるとともに、当該アーム部１５５ｃの先端部が板バネ１５８に係合される。板バネ１５８には半円弧状の係合部１５８ａが形成されており、当該係合部１５８ａは、第２スイッチ１５５がオフ位置からオン位置あるいはオン位置からオフ位置へと回動操作される際、アーム部１５５ｃの先端部で押されて弾性変形することで、第２スイッチ１５５の回動を許容する。これにより第２スイッチ１５５は、反対側への操作をしない限り係合部１５８ａによって操作された位置に維持される。板バネ１５８は、第２スイッチ１５５を操作された位置に保持する位置保持部材を構成する。なお板バネ１５８は本体部１０３とハンドグリップ１０９の下部同士をつなぐ下部連接領域１０９ａの内部空間に配置されている。
【００３２】
第２スイッチ１５５には、電気スイッチ１５１を切替動作するスイッチレバー１５９が取付軸１６１を中心として前後方向に回動自在に取り付けられている。スイッチレバー１５９は、本発明における「動作部材」に対応し、取付軸１６１は、本発明における「第３の軸線」に対応する。スイッチレバー１５９は上下方向に延在されるとともに、その一端（上端）がロッド１６３の一端と相対回動自在に連結され、他端（下端）が電気スイッチ１５１の動作突起１５１ａの後端面に対して当接可能に対向されている。ロッド１６３は、第２スイッチ１５５の上部後壁に設けた開口部を貫通して後方（ハンドグリップ１０９側）へと延在され、その他端が第１スイッチ１５３の上端部と相対回動自在に連結されている。ロッド１６３は、本発明における「棒状部材」に対応する。
【００３３】
本体部１０３とハンドグリップ１０９をつなぐ上部連接領域１０９ｂには、モード切替ダイヤル１６５の回動操作によって工具ビット長軸方向（前後方向）に直線状にスライド動作されるスイッチ固定部材としてのスライドプレート１６７が配置されている。スライドプレート１６７は、後方への移動によって第１スイッチ１５３をオン位置へと回動させて当該オン位置に固定するとともに、第２スイッチ１５５のオン位置固定を解除し、前方への移動によって第２スイッチ１５５をオン位置へと回動させて当該オン位置に固定するとともに、第１スイッチ１５３のオン位置固定を解除する。すなわち、スライドプレート１６７は、第１スイッチ１５３と第２スイッチ１５５に関する操作形態を切り替える操作形態切替部材として機能するものであり、本発明における「操作形態切替部」に対応する。
【００３４】
モード切替ダイヤル１６５には、その回動中心から所定量だけ偏心した位置に偏心軸部１６５ａが設けられている。スライドプレート１６７は、移動方向の一端側（前端側）に偏心軸部１６５ａが係合するハンマビット長軸方向と交差する方向の長孔１６７ａを有し、当該偏心軸部１６５ａの回動による前後方向成分で前後方向に移動される。すなわち、スライドプレート１６７は、モード切替ダイヤル１６５が第１ハンマモード位置に切替操作されたときに後方へ移動（図８参照）され、モード切替ダイヤル１６５がハンマドリルモード位置および第２ハンマモード位置に切替操作されたときに前方へ移動（図９参照）されるように設定されている。
【００３５】
スライドプレート１６７の後方（図４〜図７において右方向）への移動時には、当該スライドプレート１６７の他端部（後端部）が第１スイッチ１５３の上端係止部１５３ａを後方へ押すことで第１スイッチ１５３をオン位置へと回動させて当該オン位置に固定する。この状態では、第２スイッチ１５５はオン位置固定が解除されており、オフ位置とオン位置間での手指による操作が許容される。スライドプレート１６７の後方位置は、本発明における「第１の切替位置」に対応する。この状態が図４および図５に示される。一方、スライドプレート１６７の前方への移動時には、当該スライドプレート１６７のカム部１６８が第２スイッチ１５５の突起１５５ｄを上方から押すことで第２スイッチ１５５をオン位置へと回動させて当該オン位置に固定する。スライドプレート１６７の前方位置は、本発明における「第２の切替位置」に対応する。この状態では、第１スイッチ１５３はスライドプレート１６７による固定が解除され、オフ位置とオン位置間での手指による操作が許容される。この状態が図６および図７に示される。
【００３６】
スライドプレート１６７は、第２スイッチ１５５の上部後壁の開口部を貫通して後方へ延在されるとともに、図３の断面図に示すように、その延在部分が略帽子状の断面形状に形成されている。すなわち、スライドプレート１６７の両側に移動方向に所定長さで延在する縁部が設けられ、この縁部が第２スイッチ１５５の上部後壁内面に形成された上下の突起１５５ｄ，１５５ｅ間を通るカム部１６８として設定される。カム部１６８の下面（カム面）には、スライドプレート１６７の移動方向につき、第２スイッチ１５５の下側の突起１５５ｄを上方から押圧するための移動方向に傾斜する加圧領域１６８ａと、突起１５５ｄの押圧を維持継続する移動方向に平行な加圧維持領域１６８ｂと、突起１５５ｄを押圧しない非加圧領域１６８ｃが形成されている。加圧領域１６８ａの後方に加圧維持領域１６８ｂが連なり、前方に非加圧領域１６８ｃが連なっている。このため、第２スイッチ１５５は、スライドプレート１６７の前方への移動時には、下側の突起１５５ｄを加圧領域１６８ａで押されてオン位置へと回動された後、加圧維持領域１６８ｂでオン位置に固定される。つまり加圧維持領域１６８ｂは、第２スイッチ１５５をオン位置に固定する固定領域である。一方、スライドプレート１６７の前方への移動時には、下側の突起１５５ｄが非加圧領域１６８ｃと対向することで固定が解除され、オン位置とオフ位置間での手指による回動操作が許容される。つまり非加圧領域１６８ｃは、第２スイッチ１５５の回動を許容する回動操作許容領域である（図１０のＡ参照）。
【００３７】
またカム部１５８の上面には、スライドプレート１６７が後方から前方へと移動される移動途中において、第２スイッチ１５５をオフ位置へと回動される突部１６８ｄが設けられている。この突部１６８ｄは、第２スイッチ１５５のオン位置の固定が解除されたときに、当該第２スイッチ１５５の上側の突起１５５ｅを上方へ押し上げることによって、第２スイッチ１５５をオフ位置へと回動される（図１０のＢ参照）。つまり突部１６８ｄと前述の加圧領域１６８ａとによって、第２スイッチ１５５の位置をオフ位置とオン位置との間で切り替える位置切替領域を構成する。なおオフ位置へと回動された第２スイッチ１５５は、前述したように、アーム部１５５ｃの端部が板バネ１５８の係合部１５８ａを弾性変形させつつ乗り越える結果、オフ位置に維持される。この状態が図４に示される。
【００３８】
次に上記のように構成された電動ハンマドリル１０１の作用を、特にスイッチ操作を中心として説明する。図８はモード切替ダイヤル１６５がハンマビット１１９にハンマ作業を行わせる第１ハンマモードに切り替られた状態を示す。モード切替ダイヤル１６５が図９に示すハンマドリルモードまたは第１ハンマモードから第１ハンマモードへと切替操作されたときは、スライドプレート１６７が後方へと移動される。すると、スライドプレート１６７の後端部により第１スイッチ１５３が上端係止部１５３ａを押されてオン位置へ回動されて固定される。このとき、第２スイッチ１５５の下側の突起１５５ｄは、スライドプレート１６７のカム部１６８の加圧維持領域１６８ｂ、加圧領域１６８ａを経由して非加圧領域１６８ｃと対向する。また第２スイッチ１５５は、スライドプレート１６７の後方への移動途中で、カム部１６８の突部１６８ｄによって上側の突起１５５ｅを押されてオフ位置へ移動される。このとき、スイッチレバー１５９は、その先端が電気スイッチ１５１の動作突起１５１ａから離間した位置に置かれる。このときのスイッチレバー１５９の位置が本発明における「第２の動作位置」に対応する。この状態が図４に示される。
【００３９】
この状態において、第２スイッチ１５５の垂直部１５５ｂを手指で前方に押すと、当該第２スイッチ１５５は、取付軸１５７を回動中心としてオン位置へと回動されるとともに、アーム部１５５ｃの先端が板バネ１５８の係合部１５８ａを弾性変形させつつ乗り越えることでオン位置に保持される。第２スイッチ１５５がオン位置に回動されると、当該第２スイッチ１５５に取り付けられているスイッチレバー１５９（取付軸１６１）も当該第２スイッチ１５５と共に移動（取付軸１５７を回動中心として回動）する。このとき、ロッド１６３を介して第１スイッチ１５３と連結されているスイッチレバー１５９は、第１スイッチ１５３とロッド１６３の連結点を中心とする相対回動、ロッド１６３とスイッチレバー１５９の連結点を中心とする相対回動、および取付軸１６１を中心とする相対回動を伴いつつ移動し、その先端によって電気スイッチ１５１の動作突起１５１ａを押してオン状態に切り替える。すなわち、第２スイッチ１５５のオン位置への回動操作に連動してスイッチレバー１５９が電気スイッチ１５１をオン状態に切り替える位置へと移動される。このときのスイッチレバー１５９の位置が、本発明における「第１の動作位置」に対応する。この状態が図５に示される。
【００４０】
電気スイッチ１５１がオン状態に切り替えられると、当該電気スイッチ１５１から出力される電気信号（オン信号）に基づきコントローラ１１２が駆動モータ１１１を通電駆動する。ハンマモードでは、動力伝達機構１４１のクラッチ部材１４３が動力遮断状態に切り替えられているため、ハンマビット１１９は打撃動作のみによるハンマ作業を行う。そしてオン位置に回動された第２スイッチ１５５が板バネ１５８の係合部１５８ａによってオン位置に保持され、第２スイッチ１５５から手指を離しても電気スイッチ１５１のオン状態が固定（維持継続）される操作形態（すなわち、トリガロックオンモード）とされるため、作業者はスイッチ操作を継続することなく被加工材に対してハンマビット１１９の打撃動作によるハンマ作業を連続的に行うことができる。
【００４１】
次に図９はモード切替ダイヤル１６５がハンマビット１１９にハンマドリル作業を行わせるハンマドリルモードまたはハンマ作業を行わせる第２ハンマモードに切り替られた状態を示す。モード切替ダイヤル１６５が図８に示す第１ハンマモードからハンマドリルモードまたは第２ハンマモードへと切替操作されたときは、スライドプレート１６７が前方へと移動される。すると、第２スイッチ１５５は、下側の突起１５５ｄがカム部１６８の加圧領域１６８ａで押されてオン位置へと移動された後、加圧維持領域１６８ｂにより押圧状態が継続されることでオン位置に固定される。一方、第１スイッチ１５３は、スライドプレート１６７の後端による上端係止部１５３ａの押圧（固定）が解除され、スプリング１５６の付勢力によってオフ位置に戻される。このとき、スイッチレバー１６９は、その先端が電気スイッチ１５１の動作突起１５１ａから離間した位置に置かれる。このときのスイッチレバー１５９の位置が本発明における「第２の動作位置」に対応する。この状態が図６に示される。
【００４２】
この状態において、作業者が手指により第１スイッチ１５３をスプリング１５６の付勢力に抗してオン位置へ引き操作すると、ロッド１６３を介してスイッチレバー１５９が取付軸１６１回りに回動し、その先端によって電気スイッチ１５１の動作突起１５１ａを押してオン状態に切り替える。このときのスイッチレバー１５９の位置が、本発明における「第１の動作位置」に対応する。この状態が図７に示される。
【００４３】
電気スイッチ１５１がオン状態に切り替えられると、当該電気スイッチ１５１から出力される電気信号（オン信号）に基づきコントローラ１１２が駆動モータ１１１を通電駆動する。このときハンマドリルモードに切り替えられている場合であれば、動力伝達機構１４１のクラッチ部材１４３が動力伝達状態に切り替えられているため、ハンマビット１１９は打撃動作と回転動作とによるハンマドリル作業を行い、第２ハンマモードに切り替えられている場合であれば、動力伝達機構１４１のクラッチ部材１４３が動力遮断状態に切り替えられているため、ハンマビット１１９は打撃動作によるハンマドリル作業を行う。手指による第１スイッチ１５３の引き操作を解除すれば、第１スイッチ１５３は、スプリング１５６の付勢力によってオフ位置に戻され、それに連動してスイッチレバー１５９も電気スイッチ１５１をオフ状態とする位置に戻る。すなわち、ハンマドリルモードまたは第２ハンマモードでは、作業者は第１スイッチ１５３をオン位置とオフ位置間で自由に操作して自由に操作し、ハンマビット１１９を任意に駆動あるいは停止して被加工材にハンマドリル作業またはハンマ作業を断続的に行うことができる。
【００４４】
本実施の形態によれば、電気スイッチ１５１を作動する単一のスイッチレバー１５９に対して、第１スイッチ１５３および第２スイッチ１５５を、一方のスイッチを固定した状態で他方のスイッチを操作したとき、当該操作に連動してスイッチレバー１５９が所定の動作、すなわち電気スイッチ１５１をオン状態とオフ状態との間で切り替える動作を行うように連結している。また第１スイッチ１５３については、操作力が除かれると操作前の初期位置に復帰する自動復帰式とし、第２スイッチ１５５については、操作された位置に保持される位置保持式としている。このような構成とすることで、第１スイッチ１５３を、電気スイッチ１５１を投入状態とするオン位置に固定してハンマ作業を行う操作形態（トリガロックオンモード）を、単一の電気スイッチ１５１を用いて実現することができた。このため、複数のスイッチを利用してトリガロックオン機構を構成する従来の形式に比べて、電気スイッチ１５１とモータ制御用のコントローラ１１２とを接続する配線数が減少し、その取り回しが容易になる。
【００４５】
また本実施の形態では、スイッチレバー１５９を本体部１０３側に配置し、ハンドグリップ１０９側に配置された第１スイッチ１５３とロッド１６３により連結したことにより、電気スイッチ１５１をコントローラ１１２に近接して配置できるので、配線も短くなる。このように、配線数が少ないこと、配線距離が短いこと等から、駆動モータ１１１あるいはハンマビット１１９の駆動機構等の各種部品を本体部１０３内に組み付けてハンマドリルを組み立てる際、配線が邪魔にならず組立性を向上することができる。また本実施の形態では、第１スイッチ１５３と第２スイッチ１５５とを対向状に配置する構成としたので、片手での操作が可能となり、操作し易い。
【００４６】
要するに、本実施の形態においては、本発明における第１の駆動モードに対応する第１ハンマモードでは、第１スイッチ１５３がオン位置に固定され、この状態では第２スイッチ１５５の手指による操作が許容され、電気スイッチ１５１のオン・オフの切り替えが可能とされる。
一方、本発明における第２の駆動モードに対応するハンマドリルモードおよび第２ハンマモードでは、第２スイッチ１５５がオン位置に固定され、この状態では第１スイッチ１５３の手指による操作が許容され、電気スイッチ１５１のオン・オフの切り替えが可能とされる。
【００４７】
（本発明の第２の実施形態）
次に本発明の第２の実施形態に係る電動ハンマドリルにつき、図１１〜図１８を参照しつつ説明する。本実施の形態に係る電動ハンマドリルは、駆動モータの操作部を除いては、前述した第１の実施形態において説明した電動ハンマドリル１０１と同様に構成されるため、その図示および説明については、これを省略する。
【００４８】
第１スイッチ２５３は、ハンドグリップ２０９側に配置されるとともに、取付軸２５４を中心として前後方向に回動自在とされ、電気スイッチ２５１をオフ状態に切り替えることが可能なオフ位置と、電気スイッチ２５１をオン状態に切り替えることが可能なオン位置との間での回動操作が可能とされる。第１スイッチ２５３は、オフ位置は、本発明における「初期位置」に対応し、オン位置は、本発明における「操作位置に対応する。そして常時にスプリング２５６によってオン位置からオフ位置へと付勢されている。第２スイッチ２５５は、本体部２０３側に配置され、取付軸２５７を中心にして前後方向に回動自在とされ、オフ位置とオン位置との間で回動操作可能とされる。オフ位置は、本発明における「第１の操作位置」に対応し、オン位置は、本発明における「第２の操作位置」に対応する。
【００４９】
スライドプレート２６７は、移動方向の一端側（前端側）にモード切替ダイヤル２６５の偏心軸部２６５ａが係合するハンマビット長軸方向と交差する方向の長孔２６７ａを有し、当該偏心軸部２６５ａの回動による前後方向成分で前後方向に直線状に移動される。すなわち、スライドプレート２６７は、モード切替ダイヤル２６５が第１ハンマモード位置に切替操作されたときに後方へ移動（図１１参照）され、モード切替ダイヤル２６５がハンマドリルモード位置または第２ハンマモード位置に切替操作されたときに前方へ移動（図１５参照）されるように設定されている。スライドプレート２６７の後方位置は、本発明における「第１の切替位置」に対応し、前方位置は、本発明における「第２の切替位置」に対応する。また第１スイッチ２５３は、後方へ移動されるスライドプレート２６７の後端部で上端係止部２５３ａを押されてオン位置へ回動して固定され、スライドプレート２６７の前方への移動によって当該固定が解除される構成とされる。
【００５０】
一方、第２スイッチ２５５には、スライドプレート２６７の側面部２６８に向って延在するアーム部２７１が設けられ、その先端に設けたローラ２７２がスライドプレート２６７の側面部２６８に形成された移動方向（前後方向）に延びる第１カム溝２７３に係合されている。第１カム溝２７３は、スライドプレート２６７の後方から前方あるいは後方から前方への移動途中において、第２スイッチ２５５をオン位置からオフ位置あるいはオフ位置からオン位置へと回動させる位置切替領域２７３ａと、スライドプレート２６７が後方に移動された移動端において、第２スイッチ２５５の手指による回動操作を許容する回動操作許容領域２７３ｂと、スライドプレート２６７が前方に移動された移動端において、第２スイッチ２５５をオン位置に固定する固定領域２７３ｃと、を有する。
【００５１】
第１カム溝２７３の回動操作許容領域２７３ｂには、コイルバネ２７５によって弾発状に付勢されてローラ２７２を保持する位置決め用の保持体２７６が設けられ、当該保持体２７６のローラ２７２との係合面に突部２７６ａが形成されている。ローラ２７２は、第２スイッチ２５５がオフ位置とオン位置間で回動操作されるとき、保持体２７６をコイルバネ２７５の付勢力に抗して後退動作させつつ突部２７６ａを乗り越えた後、乗り越えた位置に保持される。つまり保持体２７６は、反対側に操作されない限り第２スイッチ２５５を操作された位置に保持する位置保持部材を構成する。
【００５２】
電気スイッチ２５１をオン状態あるいはオフ状態に切替動作させるスイッチレバー２５９は、本体部２０３に取り付けられ、その取付軸２６１を中心として前後方向に回動自在とされる。スイッチレバー２５９は、上方へ延在されるとともに、延在方向中間部が電気スイッチ２５１の動作突起２５１ａと当接または当接可能に対向され、先端（上端）２５９ａがオフ位置に置かれた第２スイッチ２５５の下端部２５５ｃと前後方向に所定の隙間を置いて対向される。なお隙間については、連係レバー２７７の下端部２７７ａが、第２スイッチ２５５の下端部２５５ｃの前面に重なるように、スイッチレバー２５９の先端２５９ａと第２スイッチ２５５の下端部２５５ｃとの間に進入することを許容する大きさに設定されている。
【００５３】
また本体部２０３側には、スイッチレバー２５９に対しては常時に連係された状態で、第１スイッチ２５３と第２スイッチ２５５とに対して選択的に連係あるいは切り離される連係レバー２７７が設けられる。連係レバー２７７は、本発明における「連係部材」に対応する。連係レバー２７７は、棒状部材であり、概ね上下方向に延在されるとともに、延在方向中間部において球面軸受２７８を介して本体部２０３に揺動自在に取り付けられている。連係レバー２７７の下端部２７７ａは、スイッチレバー２５９の先端後面に対し後方から当接または近接するように配置され、上端部２７７ｂはスライドプレート２６７の下方に配置された連動プレート２７９を介して第１スイッチ２５３と連結されている。
【００５４】
連動プレート２７９の前端部には、スライドプレート２６７の移動方向（前後方向）に延びる縦長領域２８１ａと、それに交差する左右方向に延びる横長領域２８１ｂとを有する略Ｌ型の長孔２８１を有し、この長孔２８１に連係レバー２７７の上端部２７７ｂが貫通されている。すなわち、連動プレート２７９と連係レバー２７７は、前後方向および左右方向に関し相対移動可能に連結されている。これにより、連係レバー２７７は、スライドプレート２６７が後方へ移動されたときには、上端部２７７ｂが長孔２８１の横長領域２８１ｂに置かれ、その状態では第１スイッチ２５３の回動動作が連係レバー２７７に伝達される連係状態とされ、スライドプレート２６７が前方へ移動されたときには、上端部２７７ｂが長孔２８１の縦長領域２８１ａに置かれ、その状態では第１スイッチ２５３の回動動作が伝達されない非連係状態（切り離された状態）とされる。なお連動プレート２７９と第１スイッチ２５３は左右方向の軸線回りに相対回動自在に連結されている。
【００５５】
連係レバー２７７の上端部２７７ｂは、連動プレート２７９の長孔２８１を貫通して更に上方へ延びるとともに、スライドプレート２６７に形成された第２カム溝２７４に係合されている。第２カム溝２７４は、スライドプレート２６７の前後方向の移動時において、連係レバー２７７を概ね左右方向に揺動させることによって、連係レバー２７７の下端部２７７ａを、第２スイッチ２５５の下端部２５５ｃの前面に進入あるいは脱出させることができる形状に形成されている。図１３に示すように、第２カム溝２７４は、連係レバー２７７の下端部２７７ａを第２スイッチ２５５の下端部２５５ｃ前面に進入あるいは脱出させるための、スライドプレート２６７の移動方向に対して所定の角度で傾斜する位置切替領域２７４ａと、進入状態を維持する進入維持領域２７４ｂと、脱出状態を維持する脱出維持領域２７ｃとを有する。これにより、連係レバー２７７は、スライドプレート２６７の前方あるいは後方への移動に基づき、その下端部２７７ａが第２スイッチ２５５の下端部２５５ｃ前面に進入する位置と脱出する位置との間で切り替えられる。
【００５６】
そして連係レバー２７７は、スライドプレート２６７が前方へ移動されたときには、進入する位置に置かれ、その状態では第２スイッチ２５５のオン位置への回動動作が連係レバー２７７に伝達される連係状態とされ、スライドプレート２６７が後方へ移動されたときには、脱出する位置に置かれ、その状態では第２スイッチ２５５のオン位置への回動動作が伝達されない非連係状態（切り離された状態）とされる。なおスイッチレバー２５９の上端部は、連係レバー２７７の下端部２７７ａが脱出する位置に置かれた状態でも当接状態が維持される長さ（幅）を有する。かくして、連係レバー２７７は、スイッチレバー２５９に対し常時に連係された状態において、スライドプレート２６７の後方への移動時には、第１スイッチ２５３に対しては非連係状態とされ、第２スイッチ２５５に対しては連係状態とされる位置へ揺動される。このときの状態が本発明における「第１の連係状態」に対応する。またスライドプレート２６７の前方への移動時には、第１スイッチ２５３に対しては連係状態とされ、第２スイッチ２５５に対しては非連係状態とされる位置へ揺動される。このときの状態が本発明における「第２の連係状態」に対応する。
【００５７】
次に上記のように構成された第２の実施形態のスイッチ操作につき説明する。図１４はモード切替ダイヤル２６５がハンマビットにハンマ作業を行わせるべく第１ハンマモードに切り替られた状態を示す。モード切替ダイヤル２６５が図１８に示すハンマドリルモードまたは第２ハンマモードから第１ハンマモードへと切替操作されたときは、スライドプレート２６７が後方へと移動される。すると、スライドプレート２６７の後端部により第１スイッチ２５３が上端係止部２５３ａを押されてオン位置へ回動されて固定される。この状態が図１１に示される。
一方、第２スイッチ２５５のアーム部２７１のローラ２７２は、スライドプレート２６７の後方への移動により、第１カム溝２７３に対し相対移動し、固定領域２７３ｃから位置切替領域２７３ａを経て回動操作許容領域２７３ｂに至る。これにより第２スイッチ２５５はオン位置からオフ位置へと回動されるとともに、位置決め用の保持体２７６によってオフ位置に保持される。かくして、第２スイッチ２５５の手指による回動操作が許容される。この状態が図１１に示される。
【００５８】
このとき、連係レバー２７７の上端部２７７ｂは、スライドプレート２６７の第２カム溝２７４に対して相対移動し、脱出領域２７４ｃから位置切替領域２７４ａを経て進入維持領域２７７ｂに至る（図１４参照）。これにより連係レバー２７７は、球面軸受２７８を支点にして右方向（図１４において上方）へと揺動し、その下端部２７７ａが第２スイッチ２５５の下端部２５５ｃ前面に進入する。この状態が図１３に示される。
また連係レバー２７７の上端部２７７ｂは、図１４に示すように、第２カム溝２７４の切替領域２７４ａを相対移動する際、連動プレート２７９の長孔２８１の横長領域２８１ｂを相対移動し、第２カム溝２７４の進入維持領域２７４ｂを相対移動する際、長孔２８１の縦長領域２８１ａを相対移動して前端に至る。このため、第１スイッチ２５３のオン位置への回動動作が連係レバー２７７に伝達されず、連係レバー２７７が前後方向に揺動されない。この状態が図１１に示される。
【００５９】
この状態において、第２スイッチ２５５の垂直部２５５ｂを手指で前方に押すと、当該第２スイッチ２５５は、取付軸２５７を回動中心としてオン位置へと回動されるとともに、アーム部２７１先端のローラ２７２が保持体２７６の突起２７６ａを乗り越えることでオン位置に保持される。第２スイッチ２５５がオン位置に回動されると、当該第２スイッチ２５５の下端部２５５ｃが連係レバー２７７の下端部２７７ａを介してスイッチレバー２５９を前方へ押す。これによりスイッチレバー２５９が取付軸２６１回りに回動して電気スイッチ２５１の動作突起２５１ａを押してオン状態に切り替える。この状態が図１２に示される。
【００６０】
電気スイッチ２５１のオン状態に切り替えられた後の動作については、前述した第１の実施形態と同様であり、ハンマビットの打撃動作のみによるハンマ作業が行われる。オン位置に回動操作された第２スイッチ２５５は、保持体２７６によってオン位置に保持されるため、第２スイッチ２５５から手指を離しても電気スイッチ２５１のオン状態が固定（維持継続）される操作形態（すなわち、トリガロックオンモード）とされるため、作業者はスイッチ操作を継続することなく被加工材に対してハンマビット１１９の打撃動作によるハンマ作業を連続的に行うことができる。
【００６１】
次にモード切替ダイヤル２６５が図１４に示す第１ハンマモードから図１８に示すハンマドリルモードまたは第２ハンマモードへと切替操作されたときは、スライドプレート２６７が前方へと移動される。すると、第１スイッチ２５３は、スライドプレート２６７の後端による上端係止部２５５ａの押圧（固定）が解除され、スプリング２５６の付勢力によってオフ位置に戻される。このとき、連係レバー２７７は、その上端部２７７ｂが第２カム溝２７４内を進入維持領域２７４ｂから位置切替領域２７４ａを経て脱出領域２７４ｃへと相対移動することで、左方向（図１８において下方）へと揺動され、その下端部２７７ａが第２スイッチ２５５の下端部２５５ｃの前面から脱出する。この状態が図１７に示される。また連係レバー２７７は、第１スイッチ２５５がオフ位置へと復帰動作する際、当該第１スイッチ２５３とともに前方へと移動する連動プレート２７９の長孔２８１に対し、その上端部２７７ｂが相対移動して縦長領域２８１ａから横長領域２８１ｂに至る（図１８参照）。
【００６２】
一方、第２スイッチ２５５は、スライドプレート２６７の前方への移動に伴い、アーム部２７１のローラ２７２が第１カム溝２７３内を回動操作許容領域２７３ｂから位置切替領域２７３ａを経て固定領域２７３ｃへと相対移動することで、オフ位置からオン位置へと回動されてオン位置に固定される。このとき、連係レバー２７７はその下端部２７７ａが第２スイッチ２５５の下端部２５５ｃ前面から脱出している。このため、スイッチレバー２５９が作動されない。この状態が図１５に示される。
【００６３】
この状態において、作業者が手指により第１スイッチ２５３をスプリング２５６の付勢力に抗してオン位置へ引き操作すると、連動プレート２７９および連係レバー２７７を介してスイッチレバー２５９が取付軸２６１回りに回動し、電気スイッチ２５１の動作突起２５１ａを押してオン状態に切り替える。この状態が図１６に示される。
【００６４】
電気スイッチ２５１がオン状態に切り替えられた後の動作については、前述した第１の実施形態と同様であり、このときハンマドリルモードに切り替えられている場合であれば、ハンマビットの打撃動作と回転動作とによるハンマドリル作業が行われ、第２ハンマモードに切り替えられている場合であれば、ハンマビットの打撃動作によるハンマドリル作業が行われる。手指による第１スイッチ２５３の引き操作を解除すれば、当該第１スイッチ２５３は、スプリング２５６の付勢力によってオフ位置に戻され、それに連動してスイッチレバー２５９も電気スイッチ２５１をオフ状態とする位置に戻る。すなわち、ハンマドリルモードまたは第２ハンマモードでは、作業者は第１スイッチ２５３をオン位置とオフ位置間で自由に操作し、ハンマビットを任意に駆動あるいは停止して被加工材にハンマドリル作業またはハンマ作業を断続的に行うことができる。
【００６５】
上記のように、本実施の形態によれば、前述した第１の実施形態の場合と同様に、第１スイッチ２５３を、電気スイッチ２５１を投入状態とするオン位置に固定してハンマ作業を行う操作形態（トリガロックオンモード）を、単一の電気スイッチ２５１を用いて実現することができる。このため、複数のスイッチを利用してトリガロックオン機構を構成する従来の形式に比べて、電気スイッチ２５１とモータ制御用のコントローラとを接続する配線数が減少し、その取り回しが容易になる。また電気スイッチ２５１をコントローラに近接して配置することが可能となって、配線も短くなる。このように、配線数が少なく配線距離も短いこと等から、駆動モータあるいはハンマビットの駆動機構等の各種部品を本体部２０３内に組み付けてハンマドリルを組み立てる際、配線が邪魔にならず組立性を向上することができる。また本実施の形態では、第１スイッチ２５３と第２スイッチ２５５とを対向状に配置する構成としたので、片手での操作が可能となり、操作し易い。
【００６６】
要するに、本実施の形態においては、第１の実施形態と同様に、本発明における第１の駆動モードに対応する第１ハンマモードでは、第１スイッチ２５３がオン位置に固定され、この状態では第２スイッチ２５５の手指による操作が許容され、電気スイッチ２５１のオン・オフの切り替えが可能とされる。
一方、本発明における第２の駆動モードに対応するハンマドリルモードおよび第２ハンマモードでは、第２スイッチ２５５がオン位置に固定され、この状態では第１スイッチ２５３の手指による操作が許容され、電気スイッチ２５１のオン・オフの切り替えが可能とされる。
【００６７】
（本発明の第３の実施形態）
次に本発明の第３の実施形態に係る電動ハンマドリルにつき、図１９〜図２２を参照しつつ説明する。図１９および図２０は第１スイッチがオン位置に固定され、第２スイッチの回動操作が許容された（オン位置固定が解除された）状態を示し、図２１および図２２は第１スイッチがオン位置に固定され、第２スイッチの回動操作が許容された（オン位置固定が解除された）状態を示す。本実施の形態に係る電動ハンマドリルは、防振構造のハンドグリップを備えた形式のものに適用したものであり、当該防振構造および駆動モータの操作部を除いては、前述した第１の実施形態において説明した電動ハンマドリルと同様に構成されるため、その図示および説明については、これを省略する。
【００６８】
図１９〜図２２に示すように、本実施の形態における防振構造のハンドグリップ３０９は、ハンマビット長軸方向と交差する上下方向に延在するとともに、本体部３０３に対する下部連接領域３０９ｂが取付軸３１１回りを中心として前後方向に回動自在に取り付けられ、上部連接領域３０９ｂにおいては、コイルスプリング３１３を介して弾発状に連接されている。取付軸３１１は、本発明における「回動軸」に対応し、コイルスプリング３１３は、本発明における「弾性体」に対応する。
【００６９】
第１スイッチ３５３は、ハンドグリップ３０９側に配置されて当該ハンドグリップ３０９の延在方向と同方向に延在されるとともに、当該延在方向中間部において取付軸３５４を中心として前後方向に回動自在とされ、電気スイッチ３５１をオフ状態に切り替えることが可能なオフ位置と、電気スイッチ３５１をオン状態に切り替えることが可能なオン位置との間での回動操作が可能とされる。そして常時にスプリング３５６によってオン位置からオフ位置へと付勢されている。オフ位置は、本発明における「初期位置」に対応し、オン位置は、本発明における「操作位置」に対応する。
【００７０】
第２スイッチ３５５は、本体部３０３に第１スイッチ３５３と対向するように配置されてハンドグリップ３０９の延在方向と同方向に延在される。第２スイッチ３５５は、延在方向中間部において取付軸３５７を中心として前後方向に回動自在とされ、電気スイッチ３５１をオフ状態に切り替えることが可能なオフ位置と、電気スイッチ３５１をオン状態に切り替えることが可能なオン位置との間での回動操作が可能とされる。オフ位置は、本発明における「第１の操作位置」に対応し、オン位置は、本発明における「第２の操作位置」に対応する。
【００７１】
本体部３０３とハンドグリップ３０９とをつなぐ下部連接領域３０９ａの内部空間には、ハンマビット長軸方向（前後方向）に延在する連結ロッド３８３が配置されている。連結ロッド３８３は、本発明における「連接部材」に対応する。そして第１スイッチ３５３は、ハンドグリップ３０９の内部空間を下方へと延在し、その延在端部が連結ロッド３８３の一端と相対回動自在に連結されている。電気スイッチ３５１をオフ状態とオン状態との間で切り替えるスイッチレバー３５９は、上下方向に延在されるとともに、延在方向中間部が電気スイッチ３５１の動作突起３５１ａに当接するように配置される。そして延在方向下端部が連結ロッド３８３の他端と相対回動自在に連結されるとともに、延在方向上端部が第２スイッチ３５５の下端部と相対回動自在に連結されている。
【００７２】
上記のように、第１スイッチ３５３、第２スイッチ３５５、連結ロッド３８３およびスイッチレバー３５９によって、第１スイッチ３５３の取付軸３５４と、第２スイッチ３５５の取付軸３５７を固定点とする５節リンク機構が構成されている。そして第１スイッチ３５３がオン位置に固定された状態で、第２スイッチ３５５が手指によりオフ位置とオン位置間で回動操作されたときには、スイッチレバー３５９が連結ロッド３８３との連結点３５９ｂを支点にして前方あるいは後方向へと回動されることで電気スイッチ３５１のオフ状態とオン状態との間での切替動作を行う。一方、第２スイッチ３５５がオン位置に固定された状態で、第１スイッチ３５３が手指によりオフ位置とオン位置間で回動操作されたときには、スイッチレバー３５９が第２スイッチ３５５との連結点３５９ａを支点にして前方あるいは後方向へと回動されることで電気スイッチ３５１のオフ状態とオン状態との間での切替動作を行う構成とされる。
【００７３】
スライドプレート３６７は、モード切替ダイヤル３６５の偏心軸部３６５ａと長孔を介して係合し、当該偏心軸部３６５ａの回動による前後方向成分で前後方向に直線状に移動される。これにより、スライドプレート３６７は、モード切替ダイヤル３６５が第１ハンマモード位置に切替操作されたときに前方へ移動され、モード切替ダイヤル３６５がハンマドリルモード位置および第２ハンマモード位置に切替操作されたときに後方へ移動されるように構成されている。そしてスライドプレート３６７の前方への移動時には、第１スイッチ３５３をオン位置に固定するとともに第２スイッチ３５５のオン位置固定を解除し、後方への移動時には第２スイッチ３５５をオン位置に固定するとともに第１スイッチ３５３のオン位置固定を解除し、更にはスイッチレバー３５９の回動支点を切り替えるべく、第１レバー３８５および第２レバー３８７が設けられている。スライドプレート３６７、第１レバー３８５および第２レバー３８７が、本発明における「操作形態切替部」に対応し、スライドプレート３６７の前方位置は、本発明における「第１の切替位置」に対応し、後方位置は、本発明における「第２の切替位置」に対応する。
【００７４】
第１レバー３８５は、上下方向に延在されて延在方向中間部が第２スイッチ３５５と共通の取付軸３５７を支点として本体部３０３および第２スイッチ３５５に対して相対回動自在に取り付けられるとともに、一端（上端）がスライドプレート３６７の後端部と長孔を介して相対回動自在に連結され、他端（下端）が第２レバー３８７の一端と上下方向の長孔を介して相対回動自在に連結されている。第２レバー３８７は、上下方向に延在されて延在方向中間部が取付軸３８９を支点として前後方向に回動自在に本体部３０３に取り付けられるとともに、その下端部３８７ａがスイッチレバー３５９と連結ロッド３８３との連結点３５９ｂに対して後方から当接可能に対向状に置かれる。
【００７５】
したがって、スライドプレート３６７が前方へと移動されたときは、第１レバー３８５が取付軸３５７を支点として図中で左回りに回動され、それに伴い第２レバー３８７が取付軸３８９を支点として図中で右回りに回動されるとともに、当該第２レバー３８７の下端部３８７ａがスイッチレバー３５９と連結ロッド３８３との連結点３５９ｂに当接してこれを前方へと移動させる。これにより連結ロッド３８３が前方へと移動され、第１スイッチ３５３がオン位置に回動されて当該オン位置に固定される。と同時に第１レバー３８５と共に第２スイッチ３５５が取付軸３６１を支点としてオフ位置側へと図中で左回りに回動される。第１レバー３８５が回動されるとき、第２スイッチ３５５は、後述するトーションバネ３９１の付勢力によって第１レバー３８５と一体化された状態でオフ位置へと回動されてオン位置固定が解除される。と同時に第２スイッチ３５５の回動によりスイッチレバー３５９の第２スイッチ３５５との連結点３５９ａが後方へと移動される。すなわち、第１スイッチ３５３がオン位置に固定されるとき、スイッチレバー３５９は、概ね電気スイッチ３５１の動作突起３５１ａとの当接点付近を中心として第２スイッチ３５５に対する連結点３５９ａと、連結ロッド３８３に対する連結点３５９ｂがそれぞれ前後方向に変位する。そして第１スイッチ３５３がオン位置に固定された状態では、第２スイッチ３５５が手指により回動操作される際のスイッチレバー３５９の回動支点が連結ロッド３８３との連結点３５９ｂ側に切り替えられる。この状態が図１９、図２０に示される。
【００７６】
一方、スライドプレート３６７が後方へと移動されたときは、第１レバー３８５が取付軸３５７を支点として図中で右回りに回動する際、第２スイッチ３５５は、トーションバネ３９１の付勢力によって第１レバー３８５と一体化された状態でオン位置へと回動されて固定される。また第２スイッチ３５５の回動動作に伴いスイッチレバー３５９の第２スイッチ３５５との連結点３５９ａが前方へと移動する。また第１レバー３８５を介して第２レバー３８７が取付軸３８９を支点として図中で左回りに回動されるとともに、当該第２レバー３８７の下端部３８７ａがスイッチレバー３５９と連結ロッド３８３との連結点３５９ｂから離間し、これにより第１スイッチ３５３のオン位置固定が解除される。当該固定を解除された第１スイッチ３５３がスプリング３５６でオフ位置へと回動されることでスイッチレバー３５９と連結ロッド３８３の連結点３５９ｂが後方へ移動される。そして第２スイッチ３５５がオン位置に固定された状態では、第１スイッチ３５３が手指により回動操作される際のスイッチレバー３５９の回動支点が第２スイッチ３５５との連結点３５９ａ側に切り替えられる。この状態が図２１、図２２に示される。
【００７７】
また第１レバー３８５は、第２スイッチ３５５のオン方向およびオフ方向の回動範囲を規制している。すなわち、第２スイッチ３５５が手指によりオフ位置へと回動操作された際には、当該第１レバー３８５の上端側後面と当接することでオフ方向の回動規制を行い、第２スイッチ３５５がオン位置へと回動操作された際には、第１レバー３８５の下部側後面と当接することでオン方向の回動規制を行う構成とされる。そして第１レバー３８５と第２スイッチ３５５は、位置保持用としてのトーションバネ３９１を介して連結されている。トーションバネ３９１は、第２スイッチ３５５がオン位置とオフ位置間で回動される際、第２スイッチ３５５に対する取付点と取付軸３５７とを結ぶ直線Ｐに対し、第１レバー３８５に対する取付点の位置が反転することによって付勢力の作用方向が反転する、すなわち反転バネとして機能するものであり、これにより第２スイッチ３５５をオン位置またはオフ位置に保持する。すなわち、トーションバネ３９１は、第２スイッチ３５５を操作された位置に保持する位置保持部材を構成する。図１９には第２スイッチ３５５がオン位置に保持された状態が示され、図２０にはオフ位置に保持された状態が示される。
【００７８】
上記のように構成された第３の実施形態においては、モード切替ダイヤル３６５がハンマビットにハンマ作業を行わせるべく第１ハンマモードに切り替られ、スライドプレート２６７が前方へと移動されたときには、前述したように、第１スイッチ３５３がオン位置に固定されるとともに、第２スイッチ３５５のオン位置固定が解除され、更にはスイッチレバー３５９の回動支点が連結ロッド３８３との連結点３５９ｂ側に切り替わる。この状態が図１９および図２０に示される。
この状態において、第２スイッチ３５５の垂直部３５５ｂの上側を手指で前方に押すと、当該第２スイッチ３５５は、トーションバネ３９１の付勢力に抗して取付軸３５７を回動中心としてオン位置へと回動され、トーションバネ３９１の反転された付勢力によってオン位置に保持される。第２スイッチ３５５がオン位置に回動されると、スイッチレバー３５９が連結点３５９ｂを支点として回動して電気スイッチ３５１の動作突起３５１ａを押してオン状態に切り替える。この状態が図２０に示される。
【００７９】
電気スイッチ２５１のオン状態に切り替えられた後の動作については、前述した第１の実施形態と同様であり、ハンマビットの打撃動作のみによるハンマ作業が行われる。オン位置に回動操作された第２スイッチ３５５は、トーションバネ３９１によってオン位置に保持されるため、第２スイッチ３５５から手指を離しても電気スイッチ３５１のオン状態が固定（維持継続）される操作形態（すなわち、トリガロックオンモード）とされるため、作業者はスイッチ操作を継続することなく被加工材に対してハンマビット１１９の打撃動作によるハンマ作業を連続的に行うことができる。
【００８０】
次にモード切替ダイヤル３６５が第１ハンマモードからハンマドリルモードまたは第２ハンマモードへと切替操作され、スライドプレート３６７が後方へと移動されたときは、前述したように、第２スイッチ３５５がオン位置に固定されるとともに、第１スイッチ３５３のオン位置固定が解除され、更にスイッチレバー３５９の回動支点が第２スイッチ３５５との連結点３５９ａ側に切り替わる。この状態が図２１および図２２に示される。
この状態において、作業者が手指により第１スイッチ３５３をスプリング３５６の付勢力に抗してオン位置へ引き操作すると、連結ロッド３８３を介してスイッチレバー３５９が連結点３５９ａを支点として回動し、電気スイッチ３５１の動作突起３５１ａを押してオン状態に切り替える。この状態が図２２に示される。
【００８１】
電気スイッチ３５１がオン状態に切り替えられた後の動作については、前述した第１の実施形態と同様であり、このときハンマビットの駆動モードがハンマドリルモードに切り替えられている場合であれば、ハンマビットの打撃動作と回転動作とによるハンマドリル作業が行われ、第２ハンマモードに切り替えられている場合であれば、ハンマビットの打撃動作によるハンマドリル作業が行われる。手指による第１スイッチ３５３の引き操作を解除すれば、当該第１スイッチ３５３は、スプリング３５６の付勢力によってオフ位置に戻され、それに連動してスイッチレバー３５９も電気スイッチ３５１をオフ状態とする位置に戻る。すなわち、ハンマドリルモードまたは第２ハンマモードでは、作業者は第１スイッチ３５３をオン位置とオフ位置間で自由に操作して自由に操作し、ハンマビットを任意に駆動あるいは停止して被加工材にハンマドリル作業またはハンマ作業を断続的に行うことができる。
【００８２】
要するに、本実施の形態においては、第１および第２の実施形態と同様に、本発明における第１の駆動モードに対応する第１ハンマモードでは、第１スイッチ３５３がオン位置に固定され、この状態では第２スイッチ３５５の手指による操作が許容され、電気スイッチ３５１のオン・オフの切り替えが可能とされる。
一方、本発明における第２の駆動モードに対応するハンマドリルモードおよび第２ハンマモードでは、第２スイッチ３５５がオン位置に固定され、この状態では第１スイッチ３５３の手指による操作が許容され、電気スイッチ３５１のオン・オフの切り替えが可能とされる。
【００８３】
上記のように、本実施の形態によれば、前述した第１の実施形態あるいは第２の実施形態と同様、第１スイッチ３５３を、電気スイッチ３５１を投入状態とするオン位置に固定してハンマ作業を行う操作形態（トリガロックオンモード）を、単一の電気スイッチ３５１を用いて実現することができる。そして配線の取り回しの容易化、配線の短縮化、あるいはそれに伴うハンマドリルの組立性の向上といった効果を得ることができる。
【００８４】
特に本実施の形態では、ハンドグリップ３０９の下部側において、本体部３０３とハンドグリップ３０９とをつなぐ下部連接領域３０９ａに連結ロッド３８３を配置し、当該連結ロッド３８３を介してハンドグリップ３０９側の第１スイッチ３５３と、本体部３０３側のスイッチレバー３５９とを連結させる構成とし、更にはスイッチレバー３５９の回動支点を、第１ハンマモードでは連結ロッド３５９との連結点３５９ｂに切り替え、ハンマドリルモードと第２ハンマモードでは第２スイッチ３５５との連結点３５９ａに切り替える構成としたことにより、防振構造のハンドグリップ３０９を有するハンマドリルに適用することができる。
【００８５】
なお上述した実施の形態は、第２の駆動モードとして、ハンマドリルモードと第２のハンマモードを有する場合で説明したが、ハンマビットに回転動作のみによるドリル作業を行わせるドリルモードを有する構成であっても構わない。
【図面の簡単な説明】
【００８６】
【図１】第１の実施形態に係る電動ハンマドリルの全体構成を示す断面図である。
【図２】電動ハンマドリルの主要部の構成を示す断面図である。
【図３】図１のＡ−Ａ線に基づく断面図である。
【図４】駆動モータの操作部を主体に示す断面図であり、第１スイッチがオン位置に固定された状態で、かつ第２スイッチがオフ位置に操作された状態を示す。
【図５】駆動モータの操作部を主体に示す断面図であり、第１スイッチがオン位置に固定された状態で、かつ第２スイッチがオン位置に操作された状態を示す。
【図６】駆動モータの操作部を主体に示す断面図であり、第２スイッチがオン位置に固定された状態で、かつ第１スイッチがオフ位置に操作された状態を示す。
【図７】駆動モータの操作部を主体に示す断面図であり、第２スイッチがオン位置に固定された状態で、かつ第１スイッチがオン位置に操作された状態を示す。
【図８】モード切替ダイヤルおよびスライドプレートを示す平面図であり、第１ハンマモードに切り替えられた状態を示す。
【図９】モード切替ダイヤルおよびスライドプレートを示す平面図であり、ハンマドリルモードまたは第２ハンマモードに切り替えられた状態を示す。
【図１０】カム部による第２スイッチの説明を説明する部分図である。
【図１１】第２の実施形態に係る駆動モータの操作部を主体に示す断面図であり、第１スイッチがオン位置に固定された状態で、かつ第２スイッチがオフ位置に操作された状態を示す。
【図１２】駆動モータの操作部を主体に示す断面図であり、第１スイッチがオン位置に固定された状態で、かつ第２スイッチがオン位置に操作された状態を示す。
【図１３】図１１のＢ矢視図である
【図１４】モード切替ダイヤルおよびスライドプレートを示す平面図であり、第１ハンマモードに切り替えられた状態を示す。
【図１５】駆動モータの操作部を主体に示す断面図であり、第２スイッチがオン位置に固定された状態で、かつ第１スイッチがオフ位置に操作された状態を示す。
【図１６】駆動モータの操作部を主体に示す断面図であり、第２スイッチがオン位置に固定された状態で、かつ第１スイッチがオン位置に操作された状態を示す。
【図１７】図１５のＣ矢視図である。
【図１８】モード切替ダイヤルおよびスライドプレートを示す平面図であり、ハンマドリルモードまたは第２ハンマモードに切り替えられた状態を示す。
【図１９】第３の実施の形態に係る駆動モータの操作部を主体に示す断面図であり、第１スイッチがオン位置に固定された状態で、かつ第２スイッチがオフ位置に操作された状態を示す。
【図２０】駆動モータの操作部を主体に示す断面図であり、第１スイッチがオン位置に固定された状態で、かつ第２スイッチがオン位置に操作された状態を示す。
【図２１】駆動モータの操作部を主体に示す断面図であり、第２スイッチがオン位置に固定された状態で、かつ第１スイッチがオフ位置に操作された状態を示す。
【図２２】駆動モータの操作部を主体に示す断面図であり、第２スイッチがオン位置に固定された状態で、かつ第１スイッチがオン位置に操作された状態を示す。
【符号の説明】
【００８７】
１０１  電動ハンマドリル（打撃工具）
１０３  本体部（工具本体部）
１０５  モータハウジング
１０７  ギアハウジング
１０９  ハンドグリップ
１０９ａ  下部連接領域
１０９ｂ  上部連接領域
１１１  駆動モータ
１１２  コントローラ
１１３  運動変換機構
１１５  打撃要素
１１７  ツールホルダ
１１９  ハンマビット（工具ビット）
１２１  クランク軸
１２３  クランクアーム
１２５  ピストン
１２７  シリンダ
１２９  ストライカ
１３１  インパクトボルト
１３３  中間ギア
１３５  中間軸
１３７  第１ベベルギア
１３９  第２ベベルギア
１４１  動力伝達機構
１４３  クラッチ部材
１５１  電気スイッチ
１５１ａ  動作突起
１５３  第１スイッチ（第１のスイッチ操作部材）
１５３ａ  上端係止部
１５４  取付軸（第１の軸線）
１５５  第２スイッチ（第２のスイッチ操作部材）
１５５ａ  水平部
１５５ｂ  垂直部
１５５ｃ  アーム部
１５５ｄ  下側の突起
１５５ｅ  上側の突起
１５６  スプリング（付勢部材）
１５７  取付軸（第２の軸線）
１５８  板バネ
１５８ａ  係合部
１５９  スイッチレバー（動作部材）
１６１  取付軸（第３の軸線）
１６３  ロッド
１６５  モード切替ダイヤル（モード切替部材）
１６５ａ  偏心軸部
１６７  スライドプレート（操作形態切替部）
１６７ａ  長孔
１６８  カム部
１６８ａ  加圧領域
１６８ｂ  加圧維持領域
１６８ｃ  非加圧領域
１６８ｄ  突部
２０３  本体部（工具本体部）
２０９  ハンドグリップ
２５１  電気スイッチ
２５１ａ  動作突起
２５３  第１スイッチ（第１のスイッチ操作部材）
２５３ａ  上端係止部
２５４  取付軸
２５５  第２スイッチ（第２のスイッチ操作部材）
２５５ａ  水平部
２５５ｂ  垂直部
２５５ｃ  下端部
２５６  スプリング
２５７  取付軸
２５９  スイッチレバー（動作部材）
２５９ａ  上端部
２６１  取付軸
２６５  モード切替ダイヤル（モード切替部材）
２６５ａ  偏心軸部
２６７  スライドプレート（操作形態切替部）
２６７ａ  長孔
２６８  側面部
２７１  アーム部
２７２  ローラ
２７３  第１カム溝
２７３ａ  位置切替領域
２７３ｂ  回動操作許容領域
２７３ｃ  固定領域
２７４  第２カム溝
２７４ａ  位置切替領域
２７４ｂ  進入維持領域
２７４ｃ  脱出領域
２７５  コイルバネ
２７６  保持体
２７６ａ  突部
２７７  連係レバー
２７７ａ  下端部
２７７ｂ  上端部
２７８  球面軸受
２７９  連動プレート
２８１  長孔
２８１ａ  縦長領域
２８１ｂ  横長領域
３０３  本体部（工具本体部）
３０９  ハンドグリップ
３１１  取付軸
３１３  コイルスプリング
３５１  電気スイッチ
３５１ａ  動作突起
３５３  第１スイッチ（第１のスイッチ操作部材）
３５４  取付軸
３５５  第２スイッチ（第２のスイッチ操作部材）
３５５ｂ  垂直部
３５６  スプリング
３５７  取付軸
３５９  スイッチレバー（動作部材）
３５９ａ  連結点
３５９ｂ  連結点
３６５  モード切替ダイヤル（モード切替部材）
３６５ａ  偏心軸部
３６７  スライドプレート（操作形態切替部）
３８３  連結ロッド（連接部材）
３８５  第１レバー（操作形態切替部）
３８７  第２レバー（操作形態切替部）
３８７ａ  下端部
３８９  取付軸
３９１  トーションバネ
【図１】
2008221373.tif 000003
【図２】
2008221373.tif 000004
【図３】
2008221373.tif 000005
【図４】
2008221373.tif 000006
【図５】
2008221373.tif 000007
【図６】
2008221373.tif 000008
【図７】
2008221373.tif 000009
【図８】
2008221373.tif 000010
【図９】
2008221373.tif 000011
【図１０】
2008221373.tif 000012
【図１１】
2008221373.tif 000013
【図１２】
2008221373.tif 000014
【図１３】
2008221373.tif 000015
【図１４】
2008221373.tif 000016
【図１５】
2008221373.tif 000017
【図１６】
2008221373.tif 000018
【図１７】
2008221373.tif 000019
【図１８】
2008221373.tif 000020
【図１９】
2008221373.tif 000021
【図２０】
2008221373.tif 000022
【図２１】
2008221373.tif 000023
【図２２】
2008221373.tif 000024